(57)【特許請求の範囲】
【請求項１】
ベース部と、このベース部に相対するカバー本体面を有するカバー部とからなり、内部に収容空間が形成されるケースと、前記カバー本体面の内面側に設けられた傾斜ブロックと、当該傾斜ブロックを貫通して前記収容空間と外部とを連通させるとともに、カッター刃を先端側から差し込んで当該カッター刃を折り曲げる方向に力を付与して切断することのできるスリットとを備えた折り刃ケースであって、
前記スリットに沿って設けられるとともに、前記カッター刃の折り曲げ方向を一方向に規制する規制手段を構成する片状の突部材が前記傾斜ブロックに一体に連設され、当該突部材の面内に穴が形成され、
前記スリットは前記傾斜ブロックの傾斜面内に形成され、
前記カッター刃の先端側を前記スリットにまっすぐに差し込んだときに、前記傾斜面内のスリットの傾きと、カッター刃の一方の面に形成された切断用の溝の傾きとが平行になり、
前記突部は、前記切断用の溝が形成されている側に相対位置することを特徴とする折り刃ケース。
【請求項２】
前記スリットの中央部に円形穴が設けられていることを特徴とする請求項１記載の折り刃ケース。
【発明の詳細な説明】
【技術分野】
【０００１】
本発明はカッター刃の折り刃ケースに係り、更に詳しくは、カッター刃を所定長さ毎に折ることで刃先部を更新することができ、折られた刃先部に触れることなく収容することのできる折り刃ケースに関する。
【背景技術】
【０００２】
公知のカッターナイフは、前後方向に延びる細長いケースと、このケース内で前後方向移動可能に設けられたスライダと、当該スライダに後端側が保持されてケース前端から出没可能に設けられたカッター刃とを備えて構成されている。このカッターナイフのカッター刃は、所定間隔毎に形成された切断用の溝に沿って折り曲げて切断することで刃先部を更新できるようになっており、当該折り曲げを行うための折り具が知られている。（例えば、特許文献１参照）。
【先行技術文献】
【特許文献】
【０００３】
【特許文献１】特開２０１０−４６１１３号公報
【発明の概要】
【発明が解決しようとする課題】
【０００４】
特許文献１に記載された折り刃ケースは、ケースの一端側にカッター刃の挿入口が設けられており、この挿入口にカッター刃を差し込んだ状態で、当該カッター刃を折り曲げる方向に力を付与して、カッター刃が、その切断用の溝に沿って切断できるように構成されている。
【０００５】
しかしながら、周知のように、カッター刃に設けられた切断用の溝は、カッター刃の片面のみに形成されており、反対側の面には形成されていない。従って、カッター刃は、切断用の溝が形成されている面（溝形成面）を山折りする方向に折り曲げることで前記溝に沿ってカッター刃の切断を直線状に正しく行えるものであり、溝形成面を谷折りする方向に折り曲げた場合には、溝に沿った直線状の切断を行うことができず、カッター刃を不規則に割ってしまい、その金属屑が飛散してしまう、という問題がある。
特許文献１は、前述したように、カッター刃を折り曲げる方向を正しく行えば、切断用の溝に沿った切断を可能とする一方、折り曲げ方向が反対側となったときには、金属片が飛散するような割れ方を生ずる、という問題があり、ユーザーが正しく切断を行うことができる手段は講じられていない。
【０００６】
［発明の目的］
本発明は、このような不都合に着目して案出されたものであり、その目的は、カッター刃を切断用の溝に沿って折るときに、その折り曲げ方向を一方向に規制することで、溝に沿った直線状の切断を行うことのできる折り刃ケースを提供することにある。
また、本発明の他の目的は、カッター刃を誤った方向に折り曲げることを禁止して切断に伴う金属片の飛散を防止することのできる折り刃ケースを提供することにある。
【課題を解決するための手段】
【０００７】
前記目的を達成するため、本発明は、特許請求の範囲記載の構成を採用した。具体的には、ベース部と、このベース部に相対するカバー本体面を有するカバー部とからなり、内部に収容空間が形成されるケースと、前記カバー本体面の内面側に設けられた傾斜ブロックと、当該傾斜ブロックを貫通して前記収容空間と外部とを連通させるとともに、カッター刃を先端側から差し込んで当該カッター刃を折り曲げる方向に力を付与して切断することのできるスリットとを備えた折り刃ケースであって、
前記スリットに沿って設けられるとともに、前記カッター刃の折り曲げ方向を一方向に規制する規制手段を構成する片状の突部材が前記傾斜ブロックに一体に連設され、当該突部材の面内に穴が形成され、
前記スリットは前記傾斜ブロックの傾斜面内に形成され、
前記カッター刃の先端側を前記スリットにまっすぐに差し込んだときに、前記傾斜面内のスリットの傾きと、カッター刃の一方の面に形成された切断用の溝の傾きとが平行になり、
前記突部は、前記切断用の溝が形成されている側に相対位置する、という構成を採っている。
【００１１】
更に、前記スリットの中央部に円形穴が設けられている構成とすることができる。
【発明の効果】
【００１２】
本発明によれば、カッター刃が挿入されるスリットの近傍に規制手段を設けているため、この規制手段がカッター刃の折り曲げ方向を一方向に規制するようになる。従って、切断用の溝に沿ってカッター刃を折るときに、スリットに溝を合わせてカッター刃を折り曲げることで、当該カッター刃を溝に沿って直線状に綺麗に切断することが可能となる。また、このような切断を実現することで、不規則な割れに起因した金属片の飛散も回避可能となる。
【００１３】
また、前記スリットは、切断用の溝と平行位置となるように傾斜面内に位置した構成とすることで、切断用の溝とスリットとの相対的な位置合わせを難なく行うことができる。しかも、ユーザーは、溝とスリットとが合わないときに、挿入の向きが間違っていることを難なく認識できるので、この点からも、正確な切断を行うことができる。
【００１４】
更に、カッター刃をスリットに差し込んだときに、前記切断用の溝と相対する位置に規制手段が位置することで、誤った方向への折り曲げを物理的に阻止することができ、例えば、切断用の溝が形成されている面を山折りする方向に折り曲げることを認識していないユーザーであっても、誤った方向への折り曲げを阻止することができる。
【００１５】
また、位置規制手段をケースに一体型の突部材により構成すれば、例えば、ケースを樹脂成形品としたときに、その形成を簡易に行うことができる。
【図面の簡単な説明】
【００１６】
【図１】折り刃ケースを一体に備えたカッター刃ホルダの概略斜視図。
【図２】（Ａ）は図１のＡ−Ａ線矢視断面図、（Ｂ）は同Ｂ−Ｂ線矢視断面図。
【図３】（Ａ）はベース部の正面図、（Ｂ）はその背面図。
【図４】（Ａ）は図３（Ａ）のＤ−Ｄ線矢視断面図、（Ｂ）は同Ｃ−Ｃ線矢視断面図。
【図５】（Ａ）は図３（Ａ）の右側面図、（Ｂ）は同Ｅ−Ｅ線矢視断面図。
【図６】（Ａ）はスライダの正面図、（Ｂ）は同背面図。
【図７】（Ａ）は図６（Ａ）の右側面図、（Ｂ）は同Ｆ−Ｆ線矢視断面図。
【図８】（Ａ）はカバー部の正面図、（Ｂ）は同背面図。
【図９】（Ａ）は図８（Ａ）のＧ−Ｇ線矢視断面図、（Ｂ）は同右側面図。
【図１０】（Ａ）はカバー部の平面図、（Ｂ）は図８（Ｂ）のＩ−Ｉ線矢視断面図。
【図１１】（Ａ）は図９（Ｂ）のＪ−Ｊ線矢視断面図、（Ｂ）は図８（Ａ）のＨ−Ｈ線矢視断面図。
【図１２】（Ａ）〜（Ｃ）はカッター刃を抜き出す動作説明図。
【図１３】（Ａ）カッター刃を切断する直前の作用説明図、（Ｂ）はカッター刃を切断した直後の作用説明図。
【発明を実施するための形態】
【００１７】
以下、本発明の実施形態を、図面を参照しながら詳細に説明する。なお、以下の説明において、特に明記しない限り、「上下」は、図１を基準として用いるものとする。従って、図２及び図１２に関しては、右側が「上」となり、左側が「下」となる。
【００１８】
図１及び図２において、折り刃ケース１１を一体に備えたカッター刃ホルダ１０は、ベース部１２と、このベース部１２に相対する位置で当該ベース部１２に組み合わされるカバー部１３とからなる扁平なケース１５と、カバー部１３との間に交換用のカッター刃１６の収容空間（スペース）Ｓ１を形成した状態でケース１５内に配置されるとともに、当該ケース１５の開口部１８から出し入れ可能に設けられたスライダ２０と、前記ケース１５内の前記収容空間Ｓ１とは区分された折り刃収容空間Ｓ２と外部とを連通させるとともに、カッター刃１６を先端側から差し込んで当該カッター刃１６を折り曲げる方向に力を付与して切断することのできるスリット２２と、当該スリット２２の近傍に設けられてカッター刃１６の折り曲げ方向を一方向に規制する規制手段２４とを備えて構成されている。
【００１９】
前記ベース部１２は、図３〜図５にも示されるように、長方形に近似した形状に設けられた平坦なベース面部２６と、当該ベース面部２６の図３（Ａ）中上端側を除く外周に設けられた左右の側壁部２７及び底壁部２８と、ベース面部２６の短寸幅方向中央部に設けられるとともに、前記カバー部１３を組み合わせたときに、前記収容空間Ｓ１と折り刃収容空間Ｓ２とを区分するための仕切部２９とを備えて構成されている。ベース面部２６と側壁部２７との連設位置において、ベース面部２６にはカバー部１３を嵌合して組み合わせるための角穴３１が複数形成されている。また、収容空間Ｓ１側のベース面部２６は、その内面側中央部に縦長の凹状部３２を形成することで、ベース面部２６の内面と段差を生じさせてストッパ機構としての段部３３が設けられている。凹状部３２の上部側には、ストッパ機構を解除するための操作穴３５が形成されている。
なお、収容空間Ｓ１側のベース面部２６の上端側は円弧状端縁３８とされているとともに、折り刃収容空間Ｓ２側のベース面部２６の上端側は、図３（Ａ）中右側の側壁部２７に向かって次第に高さが減じられた傾斜縁３９とされている。
【００２０】
前記カバー部１３は、図８ないし図１１に示されるように、前記ベース部１２に相対して当該ベース部１２に組み合わされるもので、長方形に近似した形状に設けられた平坦なカバー本体面４２と、このカバー本体面４２の内面側（図８（Ｂ）中手前側）の面に設けられた左右のカバー側壁４３と、これらカバー側壁４３の底部間を連結するカバー底壁４５と、前記仕切部２９に突き合って前記収容空間Ｓ１、Ｓ２を形成する隆起リブ４６と、収容空間Ｓ２の上端部に設けられたカッター刃の折り具５０とを備えて構成されている。
【００２１】
前記カバー側壁４３及びカバー底壁４５は、前記ベース部１２の側壁部２７、底壁部２８の肉厚に対応した分だけ、カバー本体面４２の外周より内側に位置して設けられており、カバー側壁４３には、ベース部１２に設けられた角穴３１にそれぞれ嵌合する爪部５２が設けられている。
【００２２】
前記収容空間Ｓ１側を形成するカバー本体面４２において、その内面側の上部には、カッター刃１６の一端寄りに形成される穴１６Ａ（図２参照）に挿入される凸部５４が形成されているとともに、当該凸部５４よりも上部側に、スライダ２０に係り合う凹み部５５が形成されている。また、底部側には、カッター刃１６の先端傾斜角度に対応する端縁を備えたリブ状のカッター受け５７が形成され、上端側は凹状部５８として形成されている。なお、前記凸部５４は、スライダ２０の後述する凹部８３に収まってスライダ２０と共に抜き出される一枚のカッター刃１６の通過を許容する高さに設定されている。
【００２３】
前記折り具５０は、前記カバー本体面４２における折り刃収容空間Ｓ２側の上部に設けられている。この折り具５０は、カバー本体面４２の内面側に設けられるとともに図８（Ｂ）中左側が低くなる方向に傾斜した傾斜ブロック６０と、この傾斜ブロック６０を上下に貫通するスリット６２と、当該スリット６２の近傍位置において、前記カッター刃１６の折り曲げ方向を一方向に規制する規制手段としての突部材６４と、スリット６２の上部を閉塞する蓋片６６とにより構成されている。
【００２４】
前記スリット６２は、傾斜ブロック６０の外周上端より幾分下方に位置する傾斜面６７の面内に形成されており、スリット６２の中央部は円形穴７０として形成されている。傾斜面６７の傾斜角度は、カッター刃１６を鉛直向きとしてスリット６２に差し込んだときに、当該カッター刃１６の片面に所定間隔毎に形成された切断用の溝Ｇ（図１３参照）の傾斜角度に対応する。
【００２５】
また、突部材６４は、傾斜ブロック６０から上方に立ち上がる片状をなし、カッター刃１６をスリット６２に差し込んだときに、カッター刃１６の切断用の溝Ｇが形成されている側に相対位置するように設けられている。すなわち、図９（Ｂ）に示されるように、前記傾斜面６７の低い方を手前側とし、高い方を奥行き側として見たときに、その左側に突部材６４が位置するように設けられている。カッター刃１６は、その先端が傾斜した形状に設けられており、その傾斜角度と平行に切断用の溝Ｇが形成されていることが周知となっている。カッター刃１６をスリット６２の傾斜に合わせて当該スリット６２に差し込む場合、カッター刃１６の尖っている先端がスリット６２の低い方に位置するように差し込まれることとなり、このとき、切断用の溝Ｇは左側に位置することとなる。従って、切断を行うために折り曲げるためには、カッターの本体を持つ手を右側に移動させることが正しい折り曲げ方向となる。そのため、図９（Ｂ）に示されるように、スリット６２に対して、左側に突部材６４が位置していれば、カッターＣ（図１３参照）を左側に倒伏させる動きが阻止されることになるため、ユーザーは、常に正しい方向である右側に倒すように折り曲げることができる。
【００２６】
前記蓋片６６は、基部が傾斜ブロック６０の上部にヒンジ結合しており、先端が自由端となって回転可能に設けられている。自由端側には、蓋片６６を閉塞位置としたときに、当該閉塞位置を維持するように傾斜ブロック６０の側端に形成された凹部７３に嵌合する爪片７４と、閉塞位置から蓋片６６を開放位置に操作するときの操作部となる指掛け部７６とが形成されている。
【００２７】
前記スライダ２０は、図６及び図７に示されるように、前記収容空間Ｓ１内に位置する長片状のスライダ本体８０と、このスライダ本体８０の長手方向一端側に設けられた摘み操作部８１とを含む。スライダ本体８０は、カッター刃１６を一枚受容することのできる深さの凹部８３を備えており、この凹部８３の面内における底部側にはストッパ機構を構成する片状部８５が設けられている。片状部８５は凹部８３の面内に下向きＵ字状の切欠部８７を形成することによって一端が自由端となる片持ち姿勢に設けられ、これにより、自由端８５Ａは基端８５Ｂよりもケース１５の開口部１８側に位置するようになっている。この片状部８５は、ケース１５内に位置したときに、自由端８５Ａが前記ベース部１２の内面側に向かって傾斜した姿勢を初期位置とするように形成されている。従って、スライダ２０は、片状部８５がベース部１２に設けられた凹状部３２に接しつつ自由端８５Ａが凹状部３２の上端に位置する段部３３に突き当たる位置まで移動可能となっている。
【００２８】
前記スライダ本体８０は、長手方向中央より摘み操作部８１寄りに薄肉部８８を備えており、当該薄肉部８８を回転中心として折り曲げ可能に設けられ、これにより、スライダをケース１５の開口部１８から抜き出した状態で、前記凹部８３内に位置するカッター刃１６の面から離れる方向に折り曲げ可能となり、抜き出されたカッター刃１６の部分を、例えば、指先で挟んで抜き出しできたり、図示しないカッターナイフに備わるカッター刃保持部品で、抜き出されたカッター刃１６の一部分を挟持できるようになっている。
【００２９】
前記摘み操作部８１は、スライダ本体８０の上端に連なる内側上壁９０と、この内側上壁９０の前端に連設された操作片部９１と、この操作片部９１の上端に連なって内側上壁９０の外側に位置する外側上壁９２と、当該外側上壁９２に連設されるとともに、前記収容空間Ｓ１内にスライダ２０を差し込んだ状態でベース部１２の円弧状端縁３８に突き当たるリブ構造の円弧状部９３とを含む。操作片部９１の先端（図７中下端）には、当該操作片部９１の面に対して段落ちしたフック片９５が形成され、当該フック片９５は、カバー部１３の上部内面側に形成された凹み部５５に係り合い可能に設けられている。
【００３０】
次に本実施形態におけるカッター刃ホルダ１０の使用方法及びカッター刃１６の切断要領について、図１２及び図１３をも参照しながら説明する。
【００３１】
カッター刃１６をケース１５から抜き出す場合には、図２（Ａ）に示されるように、カバー部１３が上面側となるように、カッター刃ホルダ１０全体を横向きとする。この状態で、複数枚積層されているカッター刃１６のうち、最下位に位置する一枚のカッター刃１６は、その一端側に設けられた穴１６Ａが凸部５４から抜け出し、スライダ２０の凹部８３に落ち込む状態となる。
【００３２】
スライダ２０における摘み操作部８１の操作片部９１を押圧操作することにより、フック片９５が撓み、対応する凹み部５５との係り合いを解除する。そして、図１２に示されるように、摘み操作部９１に右側への力を付与することで、スライダ２０が開口部１８から抜き出される。この抜き出しは、スライダ２０の片状部８５の自由端８５Ａが凹状部３２によって形成された段部３３に突き当たる位置まで行われる。
【００３３】
このようにしてスライダが抜き出し限まで抜き出されると、凹部８３の上部領域（図１２中右側領域）が表出する。この状態で、摘み操作部８１を同図中下方に回転させて折り曲げることで、カッター刃１６の一端側は、スライダ本体８０による支持が解除され、カッター刃１６の刃縁に触れることなく、カッター刃ホルダ１０より一枚のカッター刃１６を完全に抜き出すことができる。
【００３４】
カッター刃１６の抜き出しを完了した後、スライダ２０を収容空間Ｓ内に差し込むことにより、次のカッター刃１６がスライダ２０の凹部８３内に収まり、次の抜き出しに備えることができる。なお、スライダ２０を完全に抜き出す場合には、当該スライダ２０を抜き出し方向の移動限まで抜き出しておき、前記操作穴３５から図示しないピンを差し込んで片状部８５の自由端側を押圧し、その状態で段部３３を乗り越えさせればよい。
【００３５】
図１３に示されるように、カッターＣに保持されたカッター刃１６の先端側を折って刃の更新を行う場合には、カッター刃１６が下方位置となるようにカッターＣを鉛直姿勢とし、カッター刃１６を折り具５０のスリット６２に差し込む。この際、スリット６２はカッター刃１６の溝Ｇの傾斜向きと同じ傾斜となっていることから、その傾斜に対応するようにカッター刃１６をスリット６２に差し込むことで、溝Ｇは、突部材６４側に必ず向くことになる。
【００３６】
従って、図１３（Ａ）に示されるように、カッターＣを左側に傾けようとしても、突部材６４がその傾きを阻止するように作用するため、ユーザーは、右側に傾けることとなる。そして、一定角度以上傾けたときに、カッター刃１６は、溝Ｇに沿って正確且つ綺麗に切断され、これによって生じた刃片１６Ａは、折り刃収容空間Ｓ２内に落下して集積される（図２（Ｂ）参照）。
なお、カッター刃１６の切断を行わない場合には、蓋片６６を閉塞位置としておけば足りる。
【００３７】
従って、このような実施形態によれば、スライダをケース１５から抜き出すだけで、カッター刃１６がスライダ２０に支持された状態で抜き出すことができる。また、スライダ２０の面を利用した片状部８５と、ベース部１２の内面側に設けた段部３３とによりストッパ機構を設けているので、スライダ２０の厚みを薄くでき、カッター刃ホルダ１０全体を薄型化することができる。
しかも、一枚のカッター刃１６を抜き出すときに、スライダ本体８０がカッター刃１６を支持した状態を保つため、刃縁が手指に触れることなく一定長さの抜き出しができ、安全性も高いものとなる。
【００３８】
また、折り刃ケース１１は、スリット６２の近傍となる側方に突部材６４を設けているため、当該突部材６４によってカッター刃１６の折り曲げ方向が一方向に規制でき、切断用の溝Ｇに沿ってカッター刃１６を折るときの方向を常に正しい方向に保って切断を行うことができ、誤った方向に折り曲げたときに生じ得る細かな金属片の飛散を防止することができる。
【００３９】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００４０】
例えば、前記実施形態における折り刃ケース１１は、カッター刃ホルダ１０と一体に設けられた場合を図示説明したが、本発明はこれに限定されるものではなく、折り刃ケース１１のみを独立して形成してもよい。
【符号の説明】
【００４１】
１０  カッター刃ホルダ
１１  折り刃ケース
１２  ベース部
１３  カバー部
１５  ケース
１５  カッター刃
１８  開口部
２０  スライダ
３３  段部（ストッパ機構）
３５  操作穴
６２  スリット
６４  突部材（規制手段）
８３  凹部
８５  片状部（ストッパ機構）
８５Ａ  自由端
８５Ｂ  基端
Ｇ  溝
Ｓ１  収容空間
Ｓ２  折り刃収容空間
【図１】
0005857171.tif 000002
【図２】
0005857171.tif 000003
【図３】
0005857171.tif 000004
【図４】
0005857171.tif 000005
【図５】
0005857171.tif 000006
【図６】
0005857171.tif 000007
【図７】
0005857171.tif 000008
【図８】
0005857171.tif 000009
【図９】
0005857171.tif 000010
【図１０】
0005857171.tif 000011
【図１１】
0005857171.tif 000012
【図１２】
0005857171.tif 000013
【図１３】
0005857171.tif 000014